(57)【特許請求の範囲】
【請求項１】
放熱フィンと伝熱管を有する熱交換器(２)の少なくとも一方の側面部をケーシング(１)に固定するための樹脂製の熱交換器固定板であって、
上記熱交換器(２)の側面部に裏面側が対向する板状基部(４０)と、
上記板状基部(４０)に形成され、上記熱交換器(２)の上記伝熱管のヘアピン部(１１Ａ〜１１Ｆ,１２Ａ,１２Ｂ,１３Ａ,１３Ｃ,１４Ａ,１４Ｂ,１４Ｄ〜１４Ｆ)が挿入される挿入穴(４１〜４７,５２)と、
上記板状基部(４０)の表面側かつ上記挿入穴(４１〜４７,５２)の外周部の少なくとも一部に立設された壁部(６１〜６７,７２)と、
上記壁部(６１〜６７,７２)の内側かつ裏面側に形成された溝部(１１１〜１１８)とを備えたことを特徴とする熱交換器固定板。
【請求項２】
放熱フィンと伝熱管を有する熱交換器(２)の少なくとも一方の側面部をケーシング(１)に固定するための樹脂製の熱交換器固定板であって、
上記熱交換器(２)の側面部に裏面側が対向する板状基部(４０)と、
上記板状基部(４０)に形成され、上記熱交換器(２)の上記伝熱管のヘアピン部(１１Ａ〜１１Ｆ,１２Ａ,１２Ｂ,１３Ａ,１３Ｃ,１４Ａ,１４Ｂ,１４Ｄ〜１４Ｆ)が挿入される挿入穴(４１〜４７,５２)と、
上記板状基部(４０)の表面側かつ上記挿入穴(４１〜４７,５２)の外周部の少なくとも一部に立設された壁部(６１〜６７,７２)と、
上記壁部(６１〜６７,７２)の内側かつ裏面側に形成された溝部(１１１〜１１８)と、
上記板状基部(４０)の表面側に、上記壁部(６１〜６７,７２)の外側かつ下側に一端が連なるように立設されたリブ(８１〜８７,９２)とを備えたことを特徴とする熱交換器固定板。
【請求項３】
放熱フィンと伝熱管を有する熱交換器(２)の少なくとも一方の側面部をケーシング(１)に固定するための樹脂製の熱交換器固定板であって、
上記熱交換器(２)の側面部に裏面側が対向する板状基部(４０)と、
上記板状基部(４０)に形成され、上記熱交換器(２)の上記伝熱管のヘアピン部(１１Ａ〜１１Ｆ,１２Ａ,１２Ｂ,１３Ａ,１３Ｃ,１４Ａ,１４Ｂ,１４Ｄ〜１４Ｆ)が挿入される挿入穴(４１〜４７,５２)と、
上記板状基部(４０)の表面側かつ上記挿入穴(４１〜４７,５２)の外周部の少なくとも一部に立設された壁部(６１〜６７,７２)と、
上記壁部(６１〜６７,７２)の内側かつ裏面側に形成された溝部(１１１〜１１８)と、
上記板状基部(４０)の表面側に、上記壁部(６１〜６７,７２)の外側かつ下側に一端が連なるように立設されたリブ(８１〜８７,９２)とを備え、
上記板状基部(４０)の外縁部の側面が不連続であって、上記板状基部(４０)の外縁部の側面に生じた結露水を上記外縁部よりも内側かつ下方に向かって案内する流路が上記板状基部(４０)の表面側に形成されていることを特徴とする熱交換器固定板。
【請求項４】
請求項２または３のいずれか１つに記載の熱交換器固定板において、
上記リブ(８１〜８７,９２)は、上記壁部(６１〜６７,７２)の外側かつ下側に接続された一端から他端に向かって徐々に高さを低くしたことを特徴とする熱交換器固定板。
【請求項５】
請求項１乃至４のいずれか１つに記載の熱交換器固定板を用いたことを特徴とする空気調和機。
【発明の詳細な説明】
【０００１】
【発明の属する技術分野】
この発明は、空気調和機の室内熱交換器等を固定するのに使用される熱交換器固定板およびそれを用いた空気調和機に関する。
【０００２】
【従来の技術および発明が解決しようとする課題】
従来、空気調和機の室内ユニットにおいて、室内熱交換器の側面部を底フレームに固定すると共に、吸い込み空気が室内熱交換器を通らずにファン室側に流れ込むのを防止するための熱交換器固定板がある。この熱交換器固定板は、室内熱交換器の側面部から突出する伝熱管のヘアピン部を挿入するための挿入穴がヘアピン部毎に形成されており、組立時にこの挿入穴に伝熱管のヘアピン部を挿入して、室内熱交換器の位置決めを行っている。しかしながら、上記熱交換器固定板では、挿入穴に挿入された熱交換器の伝熱管のヘアピン部に生じた結露水および熱交換器固定板そのものに生じた結露水をドレンパン等に案内する流路が考慮されていないため、伝熱管のヘアピン部に生じる結露水の処理が確実にできず、滞留した結露水がドレンパン以外のところに飛び出すという問題がある。
【０００３】
そこで、この発明の目的は、結露水を確実に処理できる熱交換器固定板およびそれを用いた空気調和機を提供することにある。
【０００４】
【課題を解決するための手段】
上記目的を達成するため、請求項１の熱交換器固定板は、放熱フィンと伝熱管を有する熱交換器の少なくとも一方の側面部をケーシングに固定するための樹脂製の熱交換器固定板であって、上記熱交換器の側面部に裏面側が対向する板状基部と、上記板状基部に形成され、上記熱交換器の上記伝熱管のヘアピン部が挿入される挿入穴と、上記板状基部の表面側かつ上記挿入穴の外周部の少なくとも一部に立設された壁部と、上記壁部の内側かつ裏面側に形成された溝部とを備えたことを特徴としている。
【０００５】
上記請求項１の熱交換器固定板によれば、上記壁部の内側かつ裏面側に形成された溝部によって、壁部の内側に生じた結露水を板状基部の裏面側(熱交換器の側面部と対向する側)に案内して、上記溝部に案内された結露水は、板状基部の裏面側や熱交換器の側面部に沿って下方に流れる。そうして、上記板状基部の裏面側や熱交換器の側面部に沿って流れ落ちる結露水を、熱交換器の結露水を処理するドレンパン等に溜めることによって、結露水を確実に処理できる。
【０００６】
【０００７】
【０００８】
【０００９】
【００１０】
また、請求項２の熱交換器固定板は、放熱フィンと伝熱管を有する熱交換器の少なくとも一方の側面部をケーシングに固定するための樹脂製の熱交換器固定板であって、上記熱交換器の側面部に裏面側が対向する板状基部と、上記板状基部に形成され、上記熱交換器の上記伝熱管のヘアピン部が挿入される挿入穴と、上記板状基部の表面側かつ上記挿入穴の外周部の少なくとも一部に立設された壁部と、上記壁部の内側かつ裏面側に形成された溝部と、上記板状基部の表面側に、上記壁部の外側かつ下側に一端が連なるように立設されたリブとを備えたことを特徴としている。
【００１１】
上記請求項２の熱交換器固定板によれば、上記壁部の内側かつ裏面側に形成された溝部によって、壁部の内側に生じた結露水を板状基部の裏面側(熱交換器の側面部と対向する側)に案内して、溝部に案内された結露水は、板状基部の裏面側または熱交換器の側面部に沿って下方に流れる。また、上記壁部の外側かつ下側に一端が連なるように上記板状基部の表面側に立設されたリブによって、壁部の外側に生じた結露水をリブにより下方に案内して、リブに案内された結露水は、板状基部の表面側を下方に流れる。そうして、上記溝部とリブに案内された結露水を、熱交換器の結露水を処理するドレンパン等に溜めることによって、結露水を確実に処理でき、リブにより板状基部の補強もできる。
【００１２】
また、請求項３の熱交換器固定板は、放熱フィンと伝熱管を有する熱交換器の少なくとも一方の側面部をケーシングに固定するための樹脂製の熱交換器固定板であって、上記熱交換器の側面部に裏面側が対向する板状基部と、上記板状基部に形成され、上記熱交換器の上記伝熱管のヘアピン部が挿入される挿入穴と、上記板状基部の表面側かつ上記挿入穴の外周部の少なくとも一部に立設された壁部と、上記壁部の内側かつ裏面側に形成された溝部と、上記板状基部の表面側に、上記壁部の外側かつ下側に一端が連なるように立設されたリブとを備え、上記板状基部の外縁部の側面が不連続であって、上記板状基部の外縁部の側面に生じた結露水を上記外縁部よりも内側かつ下方に向かって案内する流路が上記板状基部の表面側に形成されていることを特徴としている。
【００１３】
上記請求項３の熱交換器固定板によれば、上記壁部の内側かつ裏面側に形成された溝部によって、壁部の内側に生じた結露水を板状基部の裏面側(熱交換器の側面部と対向する側)に案内して、溝部に案内された結露水は、板状基部の裏面側または熱交換器の側面部に沿って下方に流れる。また、上記壁部の外側かつ下側に一端が連なるように上記板状基部の表面側に立設されたリブによって、壁部の外側に生じた結露水をリブにより下方に案内して、リブに案内された結露水は、板状基部の表面側を下方に流れる。上記板状基部の外縁部の側面が不連続であって、上記板状基部の外縁部の側面に生じた結露水を上記板状基部の表面側に形成された流路によって上記外縁部よりも内側かつ下方に向かって案内して、流路に案内された結露水は、板状基部の表面側を下方に流れる。そうして、上記溝部,リブおよび流路に案内された結露水を、熱交換器の結露水を処理するドレンパン等に溜めることによって、結露水を確実に処理できる。
【００１４】
また、請求項４の熱交換器固定板は、請求項２または３のいずれか１つの熱交換器固定板において、上記リブは、上記壁部の外側かつ下側に接続された一端から他端に向かって徐々に高さを低くしたことを特徴としている。
【００１５】
上記請求項４の熱交換器固定板によれば、上記リブの高さを、上記壁部の外側かつ下側に接続された一端から他端に向かって徐々に低くすることによって、上記壁部の外側先端に生じた結露水を徐々に板状基部の表面に案内するので、確実に結露水の飛散を防止できる。
【００１６】
また、請求項５の空気調和機は、請求項１乃至４のいずれか１つの熱交換器固定板を用いたことを特徴としている。
【００１７】
上記請求項５の空気調和機によれば、上記結露水を確実に処理する熱交換器固定板を用いることによって、吸い込み空気が熱交換器を通らずにファン室側に流れ込むのを防ぎつつ、熱交換器の側面部近傍の結露水の飛散を確実に防止できる空気調和機を実現できる。
【００１８】
【発明の実施の形態】
以下、この発明の熱交換器固定板およびそれを用いた空気調和機を図示の実施の形態により詳細に説明する。
【００１９】
図１はこの発明の実施の一形態の熱交換器固定板を用いた空気調和機の室内ユニットの要部断面図であり、１はケーシングとしての底フレーム、２は上記底フレーム１の前面側に配置された室内熱交換器、３は上記室内熱交換器２の風下側に配置され、前面側および上面側から室内熱交換器２を介して吸い込んだ空気を下方の吹出通路４を介して前面下方に吹き出すファンである。
【００２０】
上記室内熱交換器２は、熱交換部１１,１２,１３で構成され、略くの字形状に屈曲した第１前面熱交換器と、上記第１前面熱交換器(１１,１２,１３)の前面側に配置され、熱交換部２１,２２,２３で構成され、略くの字形状に屈曲した第２前面熱交換器と、上記熱交換部１１の上端に一端が接続され、他端がファン３近傍に位置するように配置された背面熱交換器１４とを有している。図２は図１に示す室内熱交換器２の側面の反対側(左側面)を左斜め前方から見た斜視図を示している。この室内熱交換器２は、図３に示すように、底フレーム１に取り付けられる。
【００２１】
また、図４は上記室内熱交換器２を底フレーム１に固定するための樹脂製の熱交換器固定板５の表面側の平面図を示している。図４に示すように、熱交換器固定板５は、板状基部４０を有し、その板状基部４０の上側から右斜め下方に向かって図２に示す熱交換部１１の伝熱管のヘアピン部１１Ａ〜１１Ｆを挿入するための略平行四辺形状の挿入穴４１,４２,４３を順に形成している。上記挿入穴４１にヘアピン部１１Ａ,１１Ｄの２つを挿入し、挿入穴４２にヘアピン部１１Ｂ,１１Ｅの２つを挿入し、挿入穴４３にヘアピン部１１Ｃ,１１Ｆの２つを挿入する。また、上記板状基部４０の略平行四辺形状の挿入穴４３の下側に、図２に示す熱交換部１２の伝熱管のヘアピン部１２Ａ,１２Ｂを挿入するための略平行四辺形状の挿入穴４４を形成している。さらに、上記板状基部４０の略平行四辺形状の挿入穴４４の下側に、図２に示す熱交換部１３の伝熱管のヘアピン部１３Ａ,１３Ｃを挿入する略平行四辺形状の挿入穴４５を形成している。そして、上記板状基部４０の上側かつ略平行四辺形状の挿入穴４１の左側から左斜め下方に向かって、図２に示す熱交換部１４の伝熱管のヘアピン部１４Ａ,１４Ｄを挿入するための略平行四辺形状の挿入穴４６と、図２に示す熱交換部１４の伝熱管のヘアピン部１４Ｂ,１４Ｅを挿入するための略平行四辺形状の挿入穴４７を順に形成している。
【００２２】
また、上記板状基部４０の略平行四辺形状の挿入穴４１,４２,４３の配列方向に平行にかつ板状基部４０の外縁近傍に、図２に示す熱交換部２１のヘアピン部２１Ａ,２１Ｂ,２１Ｃを夫々挿入するための長穴形状の挿入穴４８,４９,５０を形成している。また、上記板状基部４０の略平行四辺形状の挿入穴４５の下側に、図２に示す熱交換部１３のヘアピン部１３Ｂを挿入するための長穴形状の挿入穴５１を形成している。一方、上記板状基部４０の略平行四辺形状の挿入穴４７の下側に、図２に示す熱交換部１４のヘアピン部１４Ｆを挿入するための長穴形状の挿入穴５２を形成している。
【００２３】
上記板状基部４０の略平行四辺形状の挿入穴４１〜４７の外周部に壁部６１〜６７を夫々立設している。また、上記板状基部４０の長穴形状の挿入穴４８の外周部の外側(図４中の右斜め上方)に、挿入穴４１の壁部６１の上側壁面から挿入穴４２の壁部６２の上側壁面に連なる壁部６８を立設している。上記板状基部４０の長穴形状の挿入穴４９の外周部の外側(図４中の右斜め上方)に、挿入穴４３の壁部６３の上側壁面に連なる壁部６９を立設している。上記板状基部４０の長穴形状の挿入穴５０の外周部の外側(図４中の右側)に、挿入穴４４の壁部６４の上側壁面に連なるように壁部７０を立設している。また、上記板状基部４０の長穴形状の挿入穴５１,５２の外周部に、壁部７１,７２を夫々立設している。
【００２４】
また、図４に示すように、上記板状基部４０の挿入穴４１の壁部６１の外側かつ下側に一端が接続され、他端が下方に向かって延びるリブ８１を立設している。上記板状基部４０の挿入穴４２の壁部６２の外側かつ下側に一端が接続され、他端が下方に向かって延びるリブ８２を立設している。上記板状基部４０の挿入穴４３の壁部６３の外側かつ下側に一端が接続され、他端が左斜め下方に向かって延びるリブ８３を立設している。上記板状基部４０の挿入穴４４の壁部６４の外側かつ左側に一端が接続され、他端が左斜め下方に向かって延びるリブ８４Ａを立設すると共に、板状基部４０の挿入穴４４の壁部６４の外側かつ下側に一端が接続され、他端が左斜め下方に向かって延びるリブ８４Ｂを立設している。上記板状基部４０の挿入穴４５の壁部６５の外側かつ下側に一端が接続され、他端が左斜め下方に向かって延びるリブ８５を立設している。また、上記板状基部４０の挿入穴４６の壁部６６の外側かつ右下側に一端が接続され、他端が右斜め下方に向かって延びるリブ８６を立設している。さらに、上記板状基部４０の挿入穴４７の壁部６７の外側かつ右下側に一端が接続され、右斜め下方に向かって延びるリブ８７を立設している。そして、上記板状基部４０の挿入穴５２の壁部７２の外側かつ右下側に一端が接続され、他端が下方に向かって延びるリブ９２を立設している。また、図１２は図４に示すXII−XII線から見たリブ８６の断面図であり、図１３は図４に示すXIII−XIII線から見たリブ８２の断面図であり、図１４は図４に示すXIV−XIV線から見たリブ８７の断面図である。図１２〜図１４に示すように、リブ８６,８２,８７は、壁部６６,６２,６７の外側かつ下側に接続された一端から他端に向かって徐々に高さを低くなっている(他のリブ８１,８３〜８５,９２についても同様)。
【００２５】
また、上記板状基部４０の略平行四辺形状の挿入穴４４近傍に、長穴形状の挿入穴４８〜５０の配列方向に対して所定の角度で交差する直線上に沿って第１の外縁部３７を形成し、さらに板状基部４０の略平行四辺形状の挿入穴４５近傍および長穴形状の挿入穴５１近傍に、長穴形状の挿入穴４８〜５０の配列方向に対して所定の角度で交差する直線上に沿って第２の外縁部３８,第３の外縁部３９を形成している。上記熱交換器固定板５の略平行四辺形状の挿入穴４４近傍の図４中右側の第１の外縁部３７に、所定の間隔をあけて円弧形状の切り欠き９３,９４を形成している。上記熱交換器固定板５の略平行四辺形状の挿入穴４５近傍の図４中右側の第２の外縁部３８に、所定の間隔をあけて円弧形状の切り欠き９５,９６を形成している。さらに、上記熱交換器固定板５の長穴形状の挿入穴５１近傍の図４中右側の第３の外縁部３９に、所定の間隔をあけて円弧形状の切り欠き９７,９８を形成している。また、上記板状基部４０の挿入穴４５の図４中左側に、確認窓５３を形成している。
【００２６】
また、図５は図４のＶ−Ｖ線から見た断面図であり、図６は図５のVI−VI線から見た断面図である。図５,図６に示すように、略平行四辺形状の挿入穴４３(図４に示す)の壁部６３の壁面に略コの字形状のスリット１０３を形成し、上記スリット１０３により壁部６３に形成された弾性支持部１０１の略中央に係合爪１０２を設けている。また、上記挿入穴４３(図４に示す)の壁部６３には、対向する壁面に係合爪１０２を夫々設けている。図５,図６において、ヘアピン部(図示せず)は図中右側から左方向に挿入される。そのとき、係合爪１０２がヘアピン部の外周面に押されて、弾性支持部１０１がヘアピン部の挿入方向に対して略平行かつ壁部６３,６５の壁面に略垂直な平面に沿って弾性変形し、挿入が完了すると、弾性支持部１０１が元の形状に戻って係合爪１０２がヘアピン部に係合して抜けないようにする。
【００２７】
また、上記略平行四辺形状の挿入穴４３と同様に、略平行四辺形状の挿入穴４１,４７(図４に示す)の壁部６１,６７それぞれに、対向する係合爪１０２を２つ形成している。さらに、略平行四辺形状の挿入穴４５(図４に示す)の壁部６５に係合爪１０２を１つ形成している。上記複数の係合爪１０２によって、室内熱交換器２(図２に示す)の伝熱管のヘアピン部１１Ａ,１１Ｃ,１１Ｄ,１１Ｆ,１３Ａ,１４Ｂ,１４Ｅを係合して固定する。
【００２８】
図７は図４に示す熱交換器固定板５を図４中左方向から見た側面図であり、板状基部４０に取付部３３と取付部３５を立設し、各取付部３３,３５に丸穴３４,３６を夫々形成している。この取付部３３,３５の丸穴３４,３６を用いて、熱交換器固定板５が底フレーム１(図３に示す)に固定される。
【００２９】
また、図８は上記熱交換器固定板５の裏面図である。上記熱交換器固定板５の裏面側が室内熱交換器２(図２に示す)の左側面と対向する。図８に示すように、略平行四辺形状の挿入穴４１〜４７の壁部６１〜６７(図４に示す)の下側に、一部が欠けた略円形の断面形状の溝部１１１〜１１７を形成し、長穴形状の挿入穴５２の壁部７２(図４に示す)の下側に、一部が欠けた略円形の断面形状の溝部１１８を形成している。上記挿入穴４１〜４７の壁部６１〜６７(図４に示す)および挿入穴５２の壁部７２(図４に示す)の内側壁面に生じた結露水を熱交換器固定板５の裏面側に案内する。そして、上記熱交換器固定板５の裏面側に案内された結露水は、室内熱交換器２に生じた結露水と共に下方のドレンパン(図示せず)に流れ落ちる。
【００３０】
また、図９は上記室内熱交換器２の左側面図を示し、第１前面熱交換器の各熱交換部１１,１２,１３の側面に、放熱フィン(図示せず)の外側を保護するための管板１５,１６,１７を夫々取り付けている。また、上記背面熱交換器１４の側面に、放熱フィン(図示せず)の外側を保護するための管板１８を取り付けている(第２前面熱交換器(２１,２２,２３)の側面にも管板を取り付けているが説明を省略する)。
【００３１】
図１０は上記室内熱交換器２の左側面部に図４〜図８に示す熱交換器固定板５を取り付けた状態を示している。図１０に示すように、上記板状基部４０の外縁部の側面が不連続であって、板状基部４０の外縁部の側面に生じた結露水を上記外縁部よりも内側かつ下方に向かって案内する流路が板状基部４０の表面側に形成されている。また、上記熱交換器固定板５の確認窓５３からは、熱交換部１３の管板１７に設けられた固定用部位である係合部１７a(図９に示す)が目視できるようにしている。
【００３２】
また、図１１は上記熱交換器固定板５により固定された室内熱交換器２が底フレーム１に取り付けられた状態を示す正面図である。
【００３３】
上記熱交換器固定板５では、壁部６１〜６７,７２の内側かつ裏面側に形成された溝部１１１〜１１８によって、壁部６１〜６７,７２の内側に生じた結露水を板状基部４０の裏面側に案内し、その溝部１１１〜１１８により案内された結露水は、板状基部４０の裏面側または室内熱交換器２の側面部に沿って下方に流れてドレンパンに溜まるので、結露水を確実に処理することができる。
【００３４】
また、上記熱交換器固定板５の壁部６１〜６７,７２の外側かつ下側に一端が連なるように板状基部４０の表面側に立設されたリブ８１〜８７,９２によって、壁部６１〜６７,７２の外側に生じた結露水をリブ８１〜８７,９２により下方に案内し、そのリブ８１〜８７,９２に案内された結露水は、板状基部４０の表面側を下方に流れてドレンパンに溜まるので、結露水を確実に処理することができ、リブ８１〜８７,９２により板状基部４０の補強もできる。
【００３５】
また、上記熱交換器固定板５の板状基部４０の外縁部の側面が不連続であるから、その外縁部の側面に生じた結露水がそのまま外縁部に沿って流れ落ちることがなく、板状基部４０の外縁部の側面に生じた結露水を図１０に示すように板状基部４０の表面側に形成された流路(図１０に示す点線の矢印)によって外縁部よりも内側かつ下方に向かって案内し、その流路に案内された結露水をドレンパンに溜めるので、結露水を確実に処理することができる。
【００３６】
また、上記リブ１１１〜１１８の高さを、壁部６１〜６７,７２の外側かつ下側に接続された一端から他端に向かって徐々に低くすることによって、壁部６１〜６７,７２の外側先端に生じた結露水も徐々に板状基部４０の表面に案内するので、結露水の飛散をより確実に防止することができる。
【００３７】
また、上記結露水を確実に処理する熱交換器固定板５を空気調和機に用いることによって、室内熱交換器２の側面部近傍の結露水の飛散を確実に防止できる空気調和機を実現できる。
【００３８】
上記実施の形態では、空気調和機の室内ユニットの室内熱交換器を底フレーム固定するための熱交換器固定板について説明したが、空気調和機の室内ユニットの室内熱交換器に限らず、冷凍機等の他の装置の熱交換器にこの発明を適用してもよい。
【００３９】
また、上記実施の形態では、段方向に隣接する２つのヘアピン部を略平行四辺形状の１つの挿入穴に挿入したが、列方向に隣接する２つのヘアピン部を１つの挿入穴に挿入してもよいし、段方向かつ列方向に隣接するヘアピン部を組み合わせた複数のヘアピン部を１つの挿入穴に挿入してもよい。
【００４０】
また、上記実施の形態では、上記室内熱交換器２の側面に管板１５〜１８を取り付けたが、管板はなくてもよい。
【００４１】
また、この発明の熱交換器固定板は、上記実施の形態に限るものではなく、例えば、挿入穴,壁部,リブおよび流路の位置,形状などは、熱交換器の側面部の形状等に応じて適宜設定すればよい。
【００４２】
【発明の効果】
以上より明らかなように、請求項１の発明の熱交換器固定板は、放熱フィンと伝熱管を有する熱交換器の少なくとも一方の側面部をケーシングに固定するための樹脂製の熱交換器固定板であって、上記熱交換器の側面部に裏面側が対向する板状基部と、その板状基部に形成され、熱交換器の伝熱管のヘアピン部が挿入される挿入穴と、上記板状基部の表面側かつ挿入穴の外周部の少なくとも一部に立設された壁部と、上記壁部の内側かつ裏面側に形成された溝部とを備えたものである。
【００４３】
したがって、請求項１の発明の熱交換器固定板によれば、上記壁部の内側かつ裏面側に形成された溝部によって、壁部の内側に生じた結露水を板状基部の裏面側(熱交換器の側面部と対向する側)に案内し、上記溝部に案内された結露水をドレンパン等に溜めることによって、結露水を確実に処理することができる。
【００４４】
【００４５】
【００４６】
【００４７】
【００４８】
また、請求項２の発明の熱交換器固定板は、放熱フィンと伝熱管を有する熱交換器の少なくとも一方の側面部をケーシングに固定するための樹脂製の熱交換器固定板であって、上記熱交換器の側面部に裏面側が対向する板状基部と、上記板状基部に形成され、熱交換器の伝熱管のヘアピン部が挿入される挿入穴と、上記板状基部の表面側かつ挿入穴の外周部の少なくとも一部に立設された壁部と、上記壁部の内側かつ裏面側に形成された溝部と、上記板状基部の表面側に、壁部の外側かつ下側に一端が連なるように立設されたリブとを備えたものである。
【００４９】
したがって、請求項２の発明の熱交換器固定板によれば、上記壁部の内側かつ裏面側に形成された溝部によって、壁部の内側に生じた結露水を板状基部の裏面側(熱交換器の側面部と対向する側)に案内し、上記壁部の外側かつ下側に一端が連なるように上記板状基部の表面側に立設されたリブによって、壁部の外側に生じた結露水をリブにより下方に案内して、上記溝部とリブに案内された結露水をドレンパン等に溜めることによって、結露水を確実に処理でき、リブにより板状基部の補強もできる。
【００５０】
また、請求項３の発明の熱交換器固定板は、放熱フィンと伝熱管を有する熱交換器の少なくとも一方の側面部をケーシングに固定するための樹脂製の熱交換器固定板であって、上記熱交換器の側面部に裏面側が対向する板状基部と、上記板状基部に形成され、熱交換器の伝熱管のヘアピン部が挿入される挿入穴と、上記板状基部の表面側かつ挿入穴の外周部の少なくとも一部に立設された壁部と、上記壁部の内側かつ裏面側に形成された溝部と、上記板状基部の表面側に、壁部の外側かつ下側に一端が連なるように立設されたリブとを備え、上記板状基部の外縁部の側面が不連続であって、板状基部の外縁部の側面に生じた結露水を上記外縁部よりも内側かつ下方に向かって案内する流路が板状基部の表面側に形成されたものである。
【００５１】
したがって、請求項３の発明の熱交換器固定板によれば、上記壁部の内側かつ裏面側に形成された溝部によって、壁部の内側に生じた結露水を板状基部の裏面側(熱交換器の側面部と対向する側)に案内し、上記壁部の外側かつ下側に一端が連なるように上記板状基部の表面側に立設されたリブによって、壁部の外側に生じた結露水をリブにより下方に案内し、さらに、上記不連続な板状基部の外縁部の側面に生じた結露水を上記板状基部の表面側に形成された流路によって上記外縁部よりも内側かつ下方に向かって案内して、上記溝部,リブおよび流路に案内された結露水をドレンパン等に溜めることによって、結露水を確実に処理でき、リブにより板状基部の補強もできる。
【００５２】
また、請求項４の発明の熱交換器固定板は、請求項２または３のいずれか１つの熱交換器固定板において、上記リブの高さを、上記壁部の外側かつ下側に接続された一端から他端に向かって徐々に低くすることによって、上記壁部の外側先端に生じた結露水を徐々に板状基部の表面に案内するので、結露水の飛散をより確実に防止することができる。
【００５３】
また、請求項５の発明の空気調和機は、請求項１乃至４のいずれか１つの熱交換器固定板を用いたものである。
【００５４】
したがって、請求項５の発明の空気調和機によれば、上記結露水を確実に処理する熱交換器固定板を用いることによって、吸い込み空気が熱交換器を通らずにファン室側に流れ込むのを防ぎつつ、熱交換器の側面部近傍の結露水の飛散を確実に防止できる空気調和機を実現することができる。
【図面の簡単な説明】
【図１】  図１はこの発明の実施の一形態の熱交換器固定板を用いる空気調和機の室内ユニットの要部断面図である。
【図２】  図２は上記空気調和機の室内熱交換器の斜視図である。
【図３】  図３は上記室内熱交換器を底フレームに取り付けた状態を示す斜視図である。
【図４】  図４は上記室内熱交換器を底フレームに固定する熱交換器固定板の平面図である。
【図５】  図５は図４のＶ−Ｖ線から見た断面図である。
【図６】  図６は図５のVI−VI線から見た断面図である。
【図７】  図７は上記熱交換器固定板の側面図である。
【図８】  図８は上記熱交換器固定板の裏面図である。
【図９】  図９は上記室内熱交換器の側面図である。
【図１０】  図１０は上記熱交換器固定板により固定された室内熱交換器が底フレームに取り付けられた状態を示す図である。
【図１１】  図１１は上記室内熱交換器の側面に熱交換器固定板を取り付けた状態を示す左側要部の正面図である。
【図１２】  図１２は図４に示すXII−XII線から見た断面図である。
【図１３】  図１３は図４に示すXIII−XIII線から見た断面図である。
【図１４】  図１４は図４に示すXIV−XIV線から見た断面図である。
【符号の説明】
１…底フレーム、
２…室内熱交換器、
３…ファン、
４…吹出通路、
５…熱交換器固定板、
１１,１２,１３,２１,２２,２３…熱交換部、
１１Ａ〜１１Ｆ,１２Ａ,１２Ｂ,１３Ａ〜１３Ｄ,１４Ａ〜１４Ｆ,２１Ａ〜２１Ｃ,２２Ａ,２３Ａ,２３Ｂ…ヘアピン部、
１４…背面熱交換器、
１５〜１８…管板、
３１…固定部、
３２…丸穴、
３３,３５…取付部、
３７…第１の外縁部、
３８…第２の外縁部、
３９…第３の外縁部、
４０…板状基部、
４１〜４７…略平行四辺形状の挿入穴、
４８〜５２…長穴形状の挿入穴、
５３…確認窓、
６１〜７２…壁部、
８１〜８７,９２…リブ、
９３〜９８…円弧形状の切り欠き、
１０１…弾性支持部、
１０２…係合爪、
１１１〜１１８…溝部。
【図１】
0003899864.tif 000002
【図２】
0003899864.tif 000003
【図３】
0003899864.tif 000004
【図４】
0003899864.tif 000005
【図５】
0003899864.tif 000006
【図６】
0003899864.tif 000007
【図７】
0003899864.tif 000008
【図８】
0003899864.tif 000009
【図９】
0003899864.tif 000010
【図１０】
0003899864.tif 000011
【図１１】
0003899864.tif 000012
【図１２】
0003899864.tif 000013
【図１３】
0003899864.tif 000014
【図１４】
0003899864.tif 000015